(57)【要約】【課題】髪飾りの模様層褪色を防止でき、使用年数を延ばすことの可能な髪飾りを提供する。【解決手段】髪飾り板体は、基板１、模様層２、カバーからなる。基板１はプラスチック、金属、或いは、その他の材料で製造されたものである。模様層２は基板１の表面に設置される。カバー層は透明なビニール材料で製造されたものであり、基板１の外側を覆うと共に模様層２を覆う。模様層２が基板１とカバー層との間に設置されることで髪飾り板体が構成される。【選択図】図１
0003159769.tif 000002
【実用新案登録請求の範囲】
【請求項１】
基板と、
前記基板の表面に設置される模様層と、
透明なビニール材料で製造され、前記基板の外側を覆うと共に前記模様層を覆うカバー層と、を備え、
前記模様層が前記基板とカバー層との間に設置されることで髪飾り板体が構成されることを特徴とする髪飾り。
【請求項２】
前記模様層は、転写、吹付け塗装、焼付塗装または金箔押しにより前記基板の表面に設置されることを特徴とする請求項１に記載の髪飾り。
【請求項３】
前記模様層は、布を粘着剤で前記基板表面に貼り付けてなることを特徴とする請求項１に記載の髪飾り。
【請求項４】
前記カバー層と前記基板とを連結することを特徴とする請求項１に記載の髪飾り。
【請求項５】
前記基板は、前記髪飾り板体の形状に対応することを特徴とする請求項１に記載の髪飾り。
【請求項６】
前記基板は、前記髪飾り板体の一部の形状に対応することを特徴とする請求項１に記載の髪飾り。
【考案の詳細な説明】
【技術分野】
【０００１】
本考案は、髪飾りに関し、特に、髪飾り模様層の褪色を防止でき、また使用年数を延ばすことができる髪飾りに関する。
【背景技術】
【０００２】
公知の髪飾りは、例えば、髪留め、シュシュ等のような多種類の異なるタイプがある。髪飾り自体の装飾美感をアップするため、一般的に髪飾り本体を成形した後、その表面に吹付け塗装、焼付塗装、転写または金箔押し等の方法で表面処理を施し、髪飾り本体が表面処理装飾層の模様外観を通じて装飾の質感を高めることができる。
【０００３】
しかしながら、前述の装飾層は長期に渡る接触或いは衝突により容易に褪色、剥離してしまうことで、当該飾り外観に不良な状況が起きてしまい、また当該髪飾り本体の比較的不陸位置(例えば、髪飾り本体の枢接耳、突起)に転写紙を貼り付けて転写することが困難であるため、加工処理の困難性及び転写効果が不良となる欠陥が起きてしまう。
【０００４】
前述の状況を改善するため、公知の髪飾りでは髪飾り本体の表面に粘着或いはその他の接合方法で装飾片を固設し、または布層で覆い、当該装飾片または布を通じて外観美感をアップすることがある。しかし、前述の構造は組立の不便性及びコストが増加し、且つ装飾片または布層はやはり接触或いは衝突によって褪色、若しくは破損に到る欠陥がある。
【考案の概要】
【考案が解決しようとする課題】
【０００５】
本考案は、髪飾りの模様層の褪色を防止でき、また使用年数を延ばすことができる髪飾りを提供することを目的とする。
【課題を解決するための手段】
【０００６】
本考案の髪飾り板体は、主に基板、模様層、カバー層からなる。また基板はプラスチック、金属或いはその他の材料で製造されるもので、且つその形状は髪飾り板体の一部または全部の形状にほぼ対応する。模様層は転写、吹付け塗装、焼付塗装または金箔押し等の方法により基板表面に形成でき、布を粘着剤で基板表面に貼り付けて形成することもでき、且つその布質で容易に模様を設置できる。カバー層は透明なビニール材料で製造され、且つ基板外側を覆うと共に模様層を覆う。その方法は模様層に連結した基板を金型内に入れた後、カバー層の材料を取り出してカバー層と基板とを連結し、且つ模様層を基板、カバー層の間に設置する。これにより、基板に比較的平坦な形体で、また容易に転写する模様層或いはその他の方法の適当な模様層を設置することができる。且つ該基板は湾曲度が比較的大きな形体の場合、布質の模様層を介して該湾曲度に合わせて粘着し、以って基板の湾曲度に対応する模様層を形成できる。またカバー層で模様層を覆うことは、接触、衝突によって起きる模様層の褪色、剥離を防止できるため、使用年数を延ばすことができる。且つ本考案は、透明なカバー層を通じて内部模様層を見ると、グラデーションによる質感を呈現できる。
【図面の簡単な説明】
【０００７】
【図１】本考案の第１実施形態による髪飾りの基板及び模様層の分解図である。
【図２】本考案の第１実施形態による髪飾りの基板及び模様層の組立図である。
【図３】本考案の第１実施形態による髪飾りの基板、模様層、カバー層を髪飾り板体として組み合わせた状態を示す図でする。
【図４】本考案の第１実施形態による髪飾りの組立断面を示す図である。
【図５】本考案の第１実施形態による組み立てた髪飾りを示す図である。
【図６】本考案の第２実施形態による髪飾りの基板を示す図である。
【図７】本考案の第２実施形態による髪飾りの基板に模様層を取り付けた状態を示す図である。
【図８】本考案の第２実施形態による髪飾りの基板、模様層、カバー層を組み合わせて形成した髪飾り板体及びバネ、枢軸を示す図である。
【図９】本考案の第２実施形態による髪飾りの髪飾り板体の組立断面を示す図である。
【図１０】本考案の第２実施形態による髪飾りを示す図である。
【図１１】本考案の第３実施形態による髪飾りを示す図である。
【考案を実施するための形態】
【０００８】
（第１実施形態）
本考案の第１実施形態を図１乃至図４を参照して説明する。本実施形態の髪飾り板体は、主に基板１、模様層２、カバー層３からなる。基板１はプラスチック材料で製造されたものであり、且つ形状が髪飾り板体の形状にほぼ対応し、その形状に変化率に比較的大きな湾曲度があり、並びに枢接耳１１、突起１２が設置される。
【０００９】
模様層２は、布を粘着剤２１で基板１の表面に貼り付けて形成され、且つ該布質は容易に模様を設置できる。
【００１０】
カバー層３は、透明なビニール材料で製造されたもので、且つ基板１の外側を覆うと共に模様層２を覆う。またその方法は模様層２に連結した基板１を金型内に入れた後、カバー層３の材料を取り出してカバー層３と基板１とを連結し、且つ模様層２を基板１とカバー層３との間に設置する。
【００１１】
図５を参照して説明する。本考案の髪飾り板体は押え片４１、バネ４２、枢軸４３を接合して髪留めを形成でき、また布質の模様層２の軟質な特性を介して基板１の湾曲度に合わせて粘着し、以って基板１の湾曲度に対応する模様層２を形成できる。またカバー層３で模様層２を覆うことは、接触、衝突によって起きる模様層２の褪色、剥離を防止できるため、使用年数を延ばすことができ、且つ長年に渡り使用した後も良好な質感を保持できる。本考案は、透明なカバー層３を通じて内部模様層２を見ると、グラデーションによる質感を呈現できる。
【００１２】
（第２実施形態）
本考案の第２実施形態を図６乃至図１０を参照して説明する。本実施形態の髪飾り板体は、主に対称両基板５、模様層６、カバー層７からなる。基板５はプラスチック材料で製造されたもので、その形状が髪飾り板体形状にほぼ対応し、且つ基板５が比較的平坦な形状である。
【００１３】
模様層６は、転写、吹付け塗装、焼付塗装または金箔押し等の方法により基板５表面に設置して形成でき、また基板５の形状が比較的平坦であるため、該模様層６は容易に基板５の表面全体に設置できる。
【００１４】
カバー層７は、透明なビニール材料で製造されたもので、且つ基板５の外側を覆うと共に模様層６を覆う。その方法は模様層６に連結した基板５を金型内に入れた後、カバー層７の材料を取り出してカバー層７と基板５とを連結し、且つ模様層６を基板５とカバー層７との間に設置して髪飾り板体を形成し、またカバー層７に枢接耳７１が設置され、且つバネ７２、枢軸７３を接合してヘアクリップを形成する。また枢接耳７１が組み立てられた髪飾りの内側に位置するため、該枢接耳７１に模様を設置しなくとも髪飾りの質感に影響を与えず、本実施形態でアピールする模様褪色の防止可能及びグラデーションにより質感のある効果を持たせることができる。
【００１５】
（第３実施形態）
本考案の第３実施形態を図１１を参照して説明する。本実施形態は第２実施形態と類似し、その差異は基板８が髪飾り板体の一部の形状で、カバー層７が髪飾り板体の形状を成形し、また基板８自体の形状及び基板８外側の模様層９が別の組み合わせの質感を奏することができる。
【００１６】
本考案の基板表面は、必ず模様層を設置しなければならないことはなく、基板とカバー層の組み合わせを介して公知の製品より更に良好な質感の効果を奏することができる。前記実施例は本考案の例として示したもので、本考案はこれに限定されることなく、本考案の精神を逸脱しない範囲内において種々の改良変更をなし得ることは、本考案の実用新案登録請求の範囲内に勿論含まれるものである。
【符号の説明】
【００１７】
１：基板、１１：枢接耳、１２：突起、２：模様層、２１：粘着剤、３：カバー層、４１：押え片、４２：バネ、４３：枢軸、５：基板、６：模様層、７：カバー層、７１：枢接耳、７２：バネ、７３：枢軸、８：基板、９：模様層
【図１】
0003159769.tif 000003
【図２】
0003159769.tif 000004
【図３】
0003159769.tif 000005
【図４】
0003159769.tif 000006
【図５】
0003159769.tif 000007
【図６】
0003159769.tif 000008
【図７】
0003159769.tif 000009
【図８】
0003159769.tif 000010
【図９】
0003159769.tif 000011
【図１０】
0003159769.tif 000012
【図１１】
0003159769.tif 000013